(57)【要約】【課題】印刷物を作成する利用者の負担を軽減することができる画像処理システム、画像処理装置、画像処理方法及びプログラムを提供する。【解決手段】複数のテンプレート及び各テンプレートに紐付く所定の記録媒体の属性情報を保持するテンプレートサーバと、テンプレートに紐付く所定の記録媒体を販売するサイトを提供するオンライン販売サーバと、テンプレートに紐付く所定の記録媒体に印刷を行う画像形成装置と、画像形成装置に適用される固有の印刷設定情報を保持しテンプレートに紐付く所定の記録媒体の属性情報に基づく印刷設定情報を設定する印刷設定サーバと、オンライン販売サーバから購入した所定の記録媒体に紐付いたテンプレートをテンプレートサーバから取得し画像データを利用して特定画像を作成し、印刷設定サーバが設定した印刷設定に基づいて画像形成装置に特定画像の印刷を指示する画像処理装置と、を備えた。【選択図】図４
2017187908.tif 000002
【特許請求の範囲】
【請求項１】
画像データに所定のデザインを施すための複数のテンプレート及び各テンプレートに紐付く所定の記録媒体の属性情報を保持するテンプレートサーバと、
前記テンプレートに紐付く所定の記録媒体を販売するサイトを提供するオンライン販売サーバと、
前記テンプレートに紐付く所定の記録媒体に印刷を行う画像形成装置と、
前記画像形成装置に適用される固有の印刷設定情報を保持し前記テンプレートに紐付く所定の記録媒体の属性情報に基づく印刷設定情報を設定する印刷設定サーバと、
前記オンライン販売サーバから購入した所定の記録媒体に紐付いたテンプレートを前記テンプレートサーバから取得し前記画像データを利用して特定画像を作成し、前記印刷設定サーバが設定した印刷設定に基づいて前記画像形成装置に前記特定画像の印刷を指示する画像処理装置と、を備えた、
ことを特徴とする画像処理システム。
【請求項２】
画像データに所定のデザイン処理を施すためのテンプレートを取得するテンプレート取得手段と、
取得した前記テンプレートと前記画像データを利用して特定画像を作成する画像作成手段と、
前記テンプレートに紐付く所定の記録媒体に前記特定画像の印刷を行う画像形成装置に適用される固有の印刷設定情報を取得する印刷設定情報取得手段と、
前記記録媒体の属性情報に基づく印刷設定情報を適用して印刷設定を行う印刷設定手段と、を備えた、
ことを特徴とする画像処理装置。
【請求項３】
前記属性情報が前記記録媒体の用紙サイズである、
ことを特徴とする請求項２に記載の画像処理装置。
【請求項４】
前記属性情報が前記記録媒体の紙質を示す用紙種類である、
ことを特徴とする請求項２又は３に記載の画像処理システム。
【請求項５】
画像データに所定のデザイン処理を施すためのテンプレートを取得するテンプレート取得ステップと、
取得した前記テンプレートと前記画像データを利用して特定画像を作成する画像作成ステップと、
前記テンプレートに紐付く所定の記録媒体に前記特定画像の印刷を行う画像形成装置に適用されている装置用印刷設定情報を取得する印刷設定情報取得ステップと、
前記記録媒体の属性情報に基づく印刷設定情報を適用して印刷設定を行う印刷設定ステップと、を実行する、
ことを特徴とする画像処理方法。
【請求項６】
請求項５に記載の情報処理方法の各ステップを、コンピュータに実行させる、
ことを特徴とするプログラム。
【発明の詳細な説明】
【技術分野】
【０００１】
本発明は、画像処理システム、画像処理装置、画像処理方法及びプログラムに関する。
【背景技術】
【０００２】
印刷手段を備えた通信端末装置であって、通信回線を介してコンテンツを取得するコンテンツ取得手段と、コンテンツの属性を取得する属性取得手段と、ユーザによる設定操作に基づき印刷手段の設定を行う設定手段と、印刷手段の状態を検出する検出手段と、コンテンツの属性および印刷手段の状態が所定の条件を満足するときは、設定操作を介さずに、コンテンツの取得と並行して印刷を行うよう制御する制御手段とを有する通信端末装置が知られている（特許文献１）。
【０００３】
ユーザによる指示に応じて、複数のコンテンツから印刷対象のコンテンツを選択する選択手段と、前複数のコンテンツのそれぞれに対応する推奨の印刷設定を示す情報を取得する取得手段と、取得手段により取得された情報に基づき、当該情報が示す選択手段により選択されたコンテンツに対応する推奨の印刷設定と、当該推奨の印刷設定とは異なる印刷設定とを区別可能に表示装置に表示させる表示制御手段と、表示制御手段により表示された推奨の印刷設定と、当該推奨の印刷設定とは異なる印刷設定とのうちのユーザにより指定された印刷設定に従って、選択手段により選択されたコンテンツに基づく画像を印刷装置に印刷させる印刷制御手段と、を備える印刷制御装置も知られている（特許文献２）。
【先行技術文献】
【特許文献】
【０００４】
【特許文献１】特開２００４−２７４２３３号公報
【特許文献２】特開２０１４−０１６６７３号公報
【発明の概要】
【発明が解決しようとする課題】
【０００５】
本発明は、印刷物を作成する利用者の負担を軽減することができる画像処理システム、画像処理装置、画像処理方法及びプログラムを提供することを目的とする。
【課題を解決するための手段】
【０００６】
前記課題を解決するために、請求項１に記載の画像処理システムは、
画像データに所定のデザインを施すための複数のテンプレート及び各テンプレートに紐付く所定の記録媒体の属性情報を保持するテンプレートサーバと、
前記テンプレートに紐付く所定の記録媒体を販売するサイトを提供するオンライン販売サーバと、
前記テンプレートに紐付く所定の記録媒体に印刷を行う画像形成装置と、
前記画像形成装置に適用される固有の印刷設定情報を保持し前記テンプレートに紐付く所定の記録媒体の属性情報に基づく印刷設定情報を設定する印刷設定サーバと、
前記オンライン販売サーバから購入した所定の記録媒体に紐付いたテンプレートを前記テンプレートサーバから取得し前記画像データを利用して特定画像を作成し、前記印刷設定サーバが設定した印刷設定に基づいて前記画像形成装置に前記特定画像の印刷を指示する画像処理装置と、を備えた、
ことを特徴とする。
【０００７】
前記課題を解決するために、請求項２に記載の画像処理装置は、
画像データに所定のデザイン処理を施すためのテンプレートを取得するテンプレート取得手段と、
取得した前記テンプレートと前記画像データを利用して特定画像を作成する画像作成手段と、
前記テンプレートに紐付く所定の記録媒体に前記特定画像の印刷を行う画像形成装置に適用される固有の印刷設定情報を取得する印刷設定情報取得手段と、
前記記録媒体の属性情報に基づく印刷設定情報を適用して印刷設定を行う印刷設定手段と、を備えた、
ことを特徴とする。
【０００８】
請求項３記載の発明は、請求項２に記載の画像処理装置において、
前記属性情報が前記記録媒体の用紙サイズである、
ことを特徴とする。
【０００９】
請求項４記載の発明は、請求項２又は３に記載の画像処理装置において、
前記属性情報が前記記録媒体の紙質を示す用紙種類である、
ことを特徴とする。
【００１０】
前記課題を解決するために、請求項５に記載の画像処理方法は、
画像データに所定のデザイン処理を施すためのテンプレートを取得するテンプレート取得ステップと、
取得した前記テンプレートと前記画像データを利用して特定画像を作成する画像作成ステップと、
前記テンプレートに紐付く所定の記録媒体に前記特定画像の印刷を行う画像形成装置に適用されている装置用印刷設定情報を取得する印刷設定情報取得ステップと、
前記記録媒体の属性情報に基づく印刷設定情報を適用して印刷設定を行う印刷設定ステップと、を実行する、
ことを特徴とする。
【００１１】
前記課題を解決するために、請求項６に記載のプログラムは、
請求項５に記載の画像処理方法の各ステップを、コンピュータに実行させる、
ことを特徴とする。
【発明の効果】
【００１２】
本発明によれば、印刷物を作成する利用者の負担を軽減することができる。
【図面の簡単な説明】
【００１３】
【図１】画像処理装置を備える画像処理システムの概略構成例を示す図である。
【図２】画像処理装置の機能構成の一例を示すブロック図である。
【図３】画像処理装置のハードウェア構成を示すブロック図である。
【図４】画像処理装置の情報処理手順の流れを示すフローチャートある。
【図５】識別子に紐付く用紙情報の構成内容の一例を示す図である。
【図６】レイアウトの編集を行うためのレイアウト編集画面の表示例を示す図である。
【図７】印刷条件を確定するための印刷画面の一例を示す図である。
【発明を実施するための形態】
【００１４】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１５】
（１）画像処理システムのシステム構成
図１は本実施形態に係る画像処理装置を備える画像処理システムの概略構成例を示す図、図２は画像処理装置の機能構成の一例を示すブロック図、図３は画像処理装置のハードウェア構成を示すブロック図である。以下、図面を参照しながら、画像処理システム１０のシステム構成を説明する。
【００１６】
（１．１）画像処理装置を備える画像処理システムの概略構成
図１に示すように、画像処理システム１０は、画像処理装置１００と、画像形成装置である複合機２００、テンプレートサーバ２１０、オンライン販売サーバ２２０及び印刷設定サーバ２３０とを備えている。
【００１７】
画像処理装置１００は、ローカルエリアネットワーク（ＬＡＮ）１１を介して複数の複合機２００、テンプレートサーバ２１０、オンライン販売サーバ２２０及び印刷設定サーバ２３０と接続されている。ＬＡＮ１１は、ファイヤーウォール（不図示）を介してインターネットを含む通信ネットワーク２０に接続するようにされている。
通信ネットワーク２０には、各種テンプレートの提供サイト（ｗｅｂサイト）２１、複合機２００で使用される用紙や消耗品の販売サイト２２、各複合機用印刷ドライバの提供サイト２３、その他の種々の情報のｗｅｂサイト２４、２５等が接続されている。
【００１８】
複合機２００は、複数のトレイ及び手差しトレイからなる給紙部、画像形成部、利用者の操作を受け付けるとともに情報を表示する操作表示部からなり、画像処理装置１００からの画像データを受け付けて、テンプレートに紐付く所定の記録媒体に特定画像の印刷を行う。
【００１９】
テンプレートサーバ２１０は、画像処理装置１００からテンプレート取得情報の入力を受け付けて、各種テンプレートの提供サイト２１にアクセスしてテンプレートデータを取得して記憶装置に圧縮等を行いながら保存するとともに、取得したテンプレートに紐付く記録媒体の属性情報を保存する。
【００２０】
オンライン販売サーバ２２０は、画像処理装置１００から用紙購入情報の入力を受け付けて、テンプレートに紐付いた用紙の属性情報に基づいて用紙や消耗品の販売サイト２２にアクセスして用紙の購入条件情報を取得して保存する。
【００２１】
印刷設定サーバ２３０は、画像処理装置１００から印刷設定情報の入力を受け付けて、複合機２００に固有の印刷ドライバが公開されている複合機用印刷ドライバの提供サイト２３にアクセスして印刷ドライバを取得して保存するとともに、属性情報に基づいて印刷ドライバの各種設定項目に対し印刷設定情報の設定を行う。
【００２２】
（１．２）画像処理装置の機能構成
画像処理装置１００は、画像処理プログラム及び印刷ドライバがインストールされたコンピュータ装置として構成され、画像処理プログラムが実行されたときに、画像処理装置として機能する。
【００２３】
図２に示すように、画像処理装置１００は、テンプレートを取得するテンプレート取得手段としてのテンプレート取得部１１０、テンプレートに紐付く記録媒体の属性情報を取得する属性情報取得部１２０、複合機２００の印刷ドライバを取得する印刷設定情報取得手段としての印刷設定情報取得部１３０、記録媒体としての用紙の属性情報に基づく印刷設定を行い複合機２００を制御する印刷設定手段としての印刷ドライバ部１４０、任意の画像データに所定のデザイン処理を施して特定画像を作成するために、テンプレートを用いた画像作成を実行する画像作成手段としての画像作成部１５０とを備えている。
【００２４】
テンプレート取得部１１０は、ＬＡＮ１１を介してテンプレートサーバ２１０から特定画像の作成に利用する各種テンプレートを取得して後述のＨＤＤ１０６に保存する。
【００２５】
属性情報取得部１２０は、テンプレートに紐付いた用紙の属性情報に基づいて、複合機２００で使用される用紙や消耗品のオンライン販売サーバ２２０に対する記録媒体入手のための手続操作を受け付ける。
【００２６】
印刷設定情報取得部１３０は、公開されたＡＰＩ（Ａｐｐｌｉｃａｔｉｏｎ  Ｐｒｏｇｒａｍｍｉｎｇ  Ｉｎｔｅｒｆａｃｅ）を利用して印刷設定サーバ２３０から複合機２００の印刷設定情報である印刷ドライバを取得する。
【００２７】
印刷ドライバ部１４０は、ＬＡＮ１１を介して複合機２００の駆動制御を行うとともに、複合機２００の印刷に用いられる用紙の属性情報や印刷出力プロファイル等を含む印刷に関する情報を管理する。
【００２８】
画像作成部１５０は、選択されたテンプレートと利用者により予め作成され登録されている画像データとの合成処理を行い、特定画像を作成する。
【００２９】
（１．３）画像処理装置のハードウェア構成
図３に示すＣＰＵ１０１は、ＨＤＤ（ハードディスク）１０６に格納されているアプリケーションプログラム、印刷ドライバプログラム、ＯＳや複合機制御プログラム等を実行する。
また、ＣＰＵ１０１は、ＲＡＭ１０３に対してプログラムの実行に必要な情報、ファイル等を一時的に格納する。ＲＯＭ１０２には、基本Ｉ／Ｏプログラム等のプログラム、文書処理の際に使用するフォントデータ、テンプレート用データ等の各種データを記憶する。
ＲＡＭ１０３は、ＣＰＵ１０１の主メモリ、ワークエリア等として機能する。１０４は外部記憶ドライブであり、メディア１０５に記憶されたプログラム等を本クライアント装置にロードするともに、コンテンツに関する画像データ等を取り込むことができる。
【００３０】
メディア１０５には、本実施形態で説明する処理を実行するプログラム及び関連データが格納されている。また、これらのプログラム及び関連データは、ＲＯＭ１０２に予め格納されてもよい。メディア１０５の他の形態としては、テンプレートに取り込んで利用される画像データが格納されたＵＳＢ（Ｕｎｉｖｅｒｓａｌ  Ｓｅｒｉａｌ  Ｂｕｓ）メモリがある。
【００３１】
ＨＤＤ１０６には、アプリケーションプログラム、印刷ドライバプログラム、ＯＳ、制御プログラム、関連プログラム等が格納されている。キーボード１０７は、利用者が情報処理装置１００に対して、デバイスの制御コマンドの命令等を入力する入力装置である。ディスプレイ１０８は、キーボード１０７から入力したコマンドや、取得したテンプレート、生成される特定画像等を表示する表示装置である。
ネットワークインタフェイス（Ｉ／Ｆ）１０９は、ＬＡＮ１１又は通信ネットワーク２０に接続するための通信インタフェイスである。
【００３２】
（２）画像処理装置の画像処理手順
図４は本実施形態に係る画像処理装置の画像処理手順の流れを示すフローチャートである。以下、図面を参照しながら、画像処理装置１００における画像処理手順について説明する。
【００３３】
画像処理装置１００は、文字、図形、写真等を含む任意の画像データにテンプレートを利用して所定のデザイン処理を施して特定画像を作成し、テンプレートに紐付く所定の記録媒体に作成した特定画像の印刷を複合機２００で行って印刷物を得る一連のワークフローを実現するものである。
【００３４】
画像処理手順は、まず、ディスプレイ１０８の表示画面上にトップメニューを表示し、利用者からの入力情報に基づいて、テンプレート取得部１１０がＩ／Ｆ１０９を介してテンプレートサーバ２１０にテンプレート取得要求を行う。
【００３５】
テンプレート取得要求情報を受け付けたテンプレートサーバ２１０は通信ネットワーク２０を介して各種テンプレートが公開されているｗｅｂサイト２１にアクセスして、ｗｅｂサイト２１上で提示された複数のテンプレートの中から、所望するテンプレートの選択を行い記憶部に保持する。
【００３６】
テンプレート取得部１１０は、Ｉ／Ｆ１０９を介してテンプレートサーバ２１０から選択されたテンプレートを取得してＨＤＤ１０６に格納する（Ｓ１０１）。
【００３７】
テンプレートには、後述するレイアウト編集された特定画像が印刷される記録媒体の属性情報としての用紙情報３００が紐付けされる識別子３１０が関連付けられている。
図５は識別子３１０に紐付く用紙情報３００の構成内容の一例を示す図である。図５に示すように、用紙情報３００は、用紙名称３１１、用紙サイズ３１２、用紙種類３１３から構成され、識別子３１０によって、特定の用紙が確定する。
例えば、識別子３１０が「００９」である場合、用紙名称３１１が「長尺」で、用紙サイズ３１２が「２９７ｍｍ×９００ｍｍ」、用紙種類３１３が「厚紙１」というように、それぞれ互いに対応付けられている。
このように、属性情報取得部１２０は取得されたテンプレートに紐付いた属性情報としての用紙情報３００をＨＤ１０６に格納する（Ｓ１０２）。
【００３８】
次に、画像作成部１５０は、利用者からの入力情報に基づいて、テンプレートが選択されたことを検知し（Ｓ１０３）、選択されたテンプレートと利用者により予め作成され登録されている画像データとの合成処理を行い（Ｓ１０４）、ディスプレイ１０８の表示画面上に後述するレイアウト編集画面を表示する（Ｓ１０５）。
【００３９】
図６はレイアウトの編集を行うためのレイアウト編集画面の表示例を示す図である。レイアウト編集画面１０００には、登録されている画像データを選択するための画像選択領域１００１と、選択された画像データをテンプレート上に配置してレイアウト編集を行った状態を表示するプレビュー画面を表示するプレビュー領域１００２、文字等のテキスト入力状態を表示するテキスト入力領域１００３等が設けられている。
また、レイアウト編集画面１０００には、自動流し込みボタン１０１０、前ページボタン１０１１、次の処理へ移行する次ページボタン１０１２等も表示される。
【００４０】
本実施形態に係る画像処理装置１００においては、画像処理プログラムの実行に伴って、画像作成部１５０において行われる処理のみで、テンプレートサーバ２１０を介して各種テンプレートが公開されているｗｅｂサイト２１から取得したテンプレートを利用して利用者が所望する特定画像の作成が自動的に行われる。
そのために、ワークフローを実行して印刷物を作成する利用者の負担を軽減することができる。
【００４１】
レイアウト編集画面１０００において、利用者による所望のレイアウト編集がなされ、次ページボタン１０１２に対する入力操作を受け付けた場合（Ｓ１０６：Ｙｅｓ）、ディスプレイ１０８の表示画面上に記録媒体選択画面１１００（不図示）を表示し、属性情報取得部１２０がＩ／Ｆ１０９を介してオンライン販売サーバ２２０に用紙の入手手続要求を行う。
【００４２】
用紙の入手手続要求を受け付けたオンライン販売サーバ２２０が通信ネットワーク２０を介して複合機２００で使用される用紙や消耗品の販売サイト２２にアクセスすると同時に、ディスプレイ１０８の表示画面上には記録媒体購入のための決済画面１２００（不図示）が表示され（Ｓ１０７）、記録媒体入手のための手続操作を受け付ける。
【００４３】
テンプレートに紐付いた用紙情報３００に基づいて選択される記録媒体は、テンプレートに紐付く所定の記録媒体に特定画像の印刷を行い印刷物を得る複合機２００における用紙搬送性、発色性、定着性等の出力評価がなされている。そのために、テンプレートを選択することによって、特定画像が適切に印刷される用紙選択が自動的に行われ、利用者の負担が軽減されるとともに、不適切な用紙設定による印刷ミスの発生を抑制することができる。
【００４４】
決済画面１２００において、記録媒体入手のための手続操作を受け付けると、ディスプレイ１０８の表示画面上に印刷ドライバ選択画面１３００（不図示）を表示し、印刷設定情報取得部１３０がＩ／Ｆ１０９を介して印刷設定サーバ２３０に印刷ドライバ取得要求を行う。
【００４５】
印刷設定サーバ２３０は、各複合機用印刷ドライバの提供サイト２３にアクセスして、テンプレートに紐付いた属性情報に基づいて、複合機２００に固有の印刷設定情報である印刷ドライバを取得して格納する（Ｓ１０８）。
複合機２００の用紙トレイ等に装填する用紙のサイズや種類は、複合機２００毎に異なり、テンプレートを適用して作成された特定画像の印刷ジョブに付加された印刷設定情報と複合機２００に設定された設定情報とに食い違いが生じた場合に、適切な複合機２００が選択されるとともに、適切な複合機２００に固有の印刷ドライバが取得される。
テンプレートを適用して作成された特定画像の印刷ジョブに付加された印刷設定情報と複合機２００に設定された設定情報とに食い違いが無い場合には、画像処理装置１００にインストールされている印刷ドライバが使用される
【００４６】
印刷設定サーバ２３０から複合機２００に固有の印刷ドライバが取得され、印刷ドライバ選択画面１３００において次ページボタン（不図示）に対する入力操作を受け付けた場合（Ｓ１０９：Ｙｅｓ）、ディスプレイ１０８の表示画面上に印刷画面１４００を表示し、利用者からの入力情報に基づいて、実際に複合機２００で印刷を行う印刷枚数の設定などの情報を含む印刷ジョブの作成を行う（Ｓ１１０）。
画像処理装置１００においては、印刷設定サーバ２３０が印刷ドライバ部１４０を介して、テンプレートに紐付いた用紙の用紙情報３００に基づく用紙サイズ、用紙種類の設定を行い複合機２００に対する印刷条件を確定する。
【００４７】
テンプレートを適用して作成された特定画像の印刷ジョブに付加された印刷設定情報と複合機２００に設定された設定情報とに食い違いが無い場合には、画像処理装置１００に既にインストールされている印刷ドライバが使用され、印刷設定サーバ２３０は、印刷ドライバ部１４０を介して画像処理装置１００の印刷ドライバに対して、テンプレートに紐付いた用紙の用紙情報３００に基づく用紙サイズ、用紙種類を設定する。
【００４８】
図７は、印刷条件を確定するための印刷画面の一例を示す図である。印刷画面１４００には、実際に印刷される特定画像をプレビュー表示するプレビュー表示領域１４０１と、印刷する用紙サイズを入力する用紙サイズ入力欄１４０２と、印刷する用紙の用紙種類を入力する用紙種類入力欄１４０３等が設けられている。
【００４９】
ステップ１１０においては、印刷ドライバ部１４０がテンプレートに紐付いた用紙の用紙情報３００に基づいて出力した用紙サイズ、用紙種類のデータは、印刷設定サーバ２３０から用紙サイズ入力欄１４０２、用紙種類入力欄１４０３に直接渡される。そのために、画像作成部１５０で画像データにテンプレートを適用して特定画像の合成処理を行うだけで、印刷ドライバ部１４０において用紙サイズ、用紙種類を含む印刷情報が自動で設定され、利用者の負担を軽減することができる。
【００５０】
本実施形態に係る画像処理装置１００においては、画像処理プログラムの実行に伴って、画像作成部１５０において行われる処理のみで、利用者が所望する特定画像の作成が行われ、特定画像に用いられるテンプレートの選択に伴って、テンプレートに紐付いた記録媒体の選択、選択された記録媒体に適合する複合機を選択する印刷ドライバの入手、印刷可能な用紙サイズ、用紙種類の設定が自動的に行われる。
そのために、ワークフローを実行して印刷物を作成する利用者の負担を軽減することができる。
【００５１】
また、テンプレートに紐付く記録媒体の属性情報に基づいて、入手された記録媒体に適合する特定の複合機の印刷ドライバが自動的に入手され、用紙情報が自動的に設定されるために、利用者の負担を軽減するとともに、人為的なミスの発生を抑制することができる。    
【符号の説明】
【００５２】
１０・・・画像処理システム
１１・・・ローカルエリアネットワーク
２０・・・通信ネットワーク
２１、２２、２３、２４、２５・・・ｗｅｂサイト
１００・・・画像処理装置
１１０・・・テンプレート取得部
１２０・・・属性情報取得部
１３０・・・印刷設定情報取得部
１４０・・・印刷ドライバ部
１５０・・・画像作成部
２００・・・複合機
２１０・・・テンプレートサーバ
２２０・・・オンライン販売サーバ
２３０・・・印刷設定サーバ
３００・・・用紙情報
１０００・・・レイアウト編集画面
１１００・・・記録媒体選択画面
１２００・・・決済画面
１３００・・・印刷ドライバ選択画面
１４００・・・印刷設定画面
【図１】
2017187908.tif 000003
【図２】
2017187908.tif 000004
【図３】
2017187908.tif 000005
【図４】
2017187908.tif 000006
【図５】
2017187908.tif 000007
【図６】
2017187908.tif 000008
【図７】
2017187908.tif 000009